(57)【特許請求の範囲】
【請求項１】
調理を要する第１の品と、調理済み又は調理不要の第２の品とを含んだ注文を受け付けた場合に、
前記注文に含まれる前記第１の品を調理する自動調理装置に対して、前記注文に含まれる前記第１の品を調理するように指示を出し、少なくとも、該指示に応じた前記自動調理装置による調理完了を表す通知を受け付けることにより、前記注文に含まれる前記第１の品についての調理の完了を検出し、
前記注文に含まれる前記第２の品を供給する装置である自動供給装置に対して、前記注文に含まれる前記第１の品についての調理が完了したことを契機として、前記注文に含まれる前記第２の品を供給するように指示を出すことを特徴とする提供管理装置。
【請求項２】
調理を要する第１の品と、調理済み又は調理不要の第２の品とを含んだ注文を受け付けた場合に、
少なくとも、前記注文に含まれる前記第１の品の調理を完了したユーザからの入力を受け付けることにより、前記注文に含まれる前記第１の品についての調理の完了を検出し、
前記注文に含まれる前記第２の品を供給する装置である自動供給装置に対して、前記注文に含まれる前記第１の品についての調理が完了したことを契機として、前記注文に含まれる前記第２の品を供給するように指示を出すことを特徴とする提供管理装置。
【請求項３】
前記注文に含まれる前記第２の品毎に供給に要する時間が異なっており、前記異なる供給に要する時間に基づいて、前記注文に含まれる各前記第２の品の供給の完了が同時になるように時間差をつけて前記指示を出すことを特徴とする請求項１又は２に記載の提供管理装置。
【請求項４】
前記注文に含まれる前記第１の品についての調理が完了する前に、前記注文に含まれる前記第２の品を供給するように指示を出したとしたならば前記自動供給装置が該指示に応じた供給が可能な状態であるのか確認し、可能な状態にない場合には、前記自動供給装置が指示に応じた供給が可能な状態にないことを知らせる情報をユーザに対して出力することを特徴とする請求項１乃至３の何れか１項に記載の提供管理装置。
【請求項５】
前記自動供給装置による前記注文に含まれる前記第２の品の供給の完了を検出し、その完了を契機として、前記注文された品が全て提供可能となったことを知らせる情報をユーザに対して出力することを特徴とする請求項１乃至４の何れか１項に記載の提供管理装置。
【請求項６】
請求項１乃至５の何れか１項に記載の提供管理装置と、
前記提供管理装置の指示に応じて前記注文に含まれる前記第２の品を供給する装置である自動供給装置と、
を備えることを特徴とする提供管理システム。
【請求項７】
調理を要する第１の品と、調理済み又は調理不要の第２の品とを含んだ注文を受け付けた場合に、
前記注文に含まれる前記第１の品を調理する自動調理装置に対して、前記注文に含まれる前記第１の品を調理するように指示を出し、少なくとも、該指示に応じた前記自動調理装置による調理完了を表す通知を受け付けることにより、前記注文に含まれる前記第１の品についての調理の完了を検出し、
前記注文に含まれる前記第２の品を供給する装置である自動供給装置に対して、前記注文に含まれる前記第１の品についての調理が完了したことを契機として、前記注文に含まれる前記第２の品を供給するように指示を出すことを特徴とする提供管理装置としてコンピュータを機能させることを特徴とする提供管理プログラム。
【請求項８】
調理を要する第１の品と、調理済み又は調理不要の第２の品とを含んだ注文を受け付けた場合に、
少なくとも、前記注文に含まれる前記第１の品の調理を完了したユーザからの入力を受け付けることにより、前記注文に含まれる前記第１の品についての調理の完了を検出し、
前記注文に含まれる前記第２の品を供給する装置である自動供給装置に対して、前記注文に含まれる前記第１の品についての調理が完了したことを契機として、前記注文に含まれる前記第２の品を供給するように指示を出すことを特徴とする提供管理装置としてコンピュータを機能させることを特徴とする提供管理プログラム。
【請求項９】
提供管理装置と、前記提供管理装置と接続された自動供給装置と、を備えるシステムが行う提供管理方法であって、
前記提供管理装置が、
調理を要する第１の品と、調理済み又は調理不要の第２の品とを含んだ注文を受け付けた場合に、
前記注文に含まれる前記第１の品を調理する自動調理装置に対して、前記注文に含まれる前記第１の品を調理するように指示を出し、少なくとも、該指示に応じた前記自動調理装置による調理完了を表す通知を受け付けることにより、前記注文に含まれる前記第１の品についての調理の完了を検出し、
前記注文に含まれる前記第２の品を供給する装置である前記自動供給装置に対して、前記注文に含まれる前記第１の品についての調理が完了したことを契機として前記注文に含まれる前記第２の品を供給するように指示を出し、
前記自動供給装置が、前記提供管理装置の指示に応じて前記注文に含まれる前記第２の品を供給する、
ことを特徴とする提供管理方法。
【請求項１０】
提供管理装置と、前記提供管理装置と接続された自動供給装置と、を備えるシステムが行う提供管理方法であって、
前記提供管理装置が、
調理を要する第１の品と、調理済み又は調理不要の第２の品とを含んだ注文を受け付けた場合に、
少なくとも、前記注文に含まれる前記第１の品の調理を完了したユーザからの入力を受け付けることにより、前記注文に含まれる前記第１の品についての調理の完了を検出し、
前記注文に含まれる前記第２の品を供給する装置である前記自動供給装置に対して、前記注文に含まれる前記第１の品についての調理が完了したことを契機として前記注文に含まれる前記第２の品を供給するように指示を出し、
前記自動供給装置が、前記提供管理装置の指示に応じて前記注文に含まれる前記第２の品を供給する、
ことを特徴とする提供管理方法。
【発明の詳細な説明】
【技術分野】
【０００１】
本発明は、提供物の提供を管理するための、提供管理装置、提供管理システム、提供管理方法及び提供管理プログラムに関する。
【背景技術】
【０００２】
飲食店等の施設においてオーダエントリシステムを設置することが一般的に行われている。ここで、オーダエントリシステムには、注文入力端末、ＰＯＳ（Point Of Sales）端末、厨房端末及びコントロール端末といった種々の機器が含まれる。そして、オーダエントリシステムでは、注文入力端末から顧客の注文を入力し、キッチンプリンタ等の厨房端末に顧客の注文を出力して調理担当者へ調理を指示する。また、調理担当者による調理完了後、接客担当者は顧客に注文品を提供し、注文品の代金をＰＯＳ端末装置が精算する。
【０００３】
このようなオーダエントリシステムに関連する技術の一例が特許文献１に記載されている。特許文献１に記載の技術では、接客を行う接客担当者が顧客からの料理の注文受け付け後、空席状況や顧客の食事の進み具合等を観察する。そして、適当と考えられるタイミングで次の料理の調理開始指示を接客担当者が注文入力端末に入力する。入力された調理開始指示は、厨房端末から出力され、出力された指示を参照した調理担当者は調理を開始する。これにより、顧客が望む適切なタイミングにて調理したての料理を提供することが可能となる。
【先行技術文献】
【特許文献】
【０００４】
【特許文献１】特開２０００−２６８０８２号公報
【発明の概要】
【発明が解決しようとする課題】
【０００５】
他方で、近年、調理に関する作業のオートメーション化が進んでおり、御飯の盛り付けを行う米飯自動盛付機や味噌汁をよそう味噌汁ディスペンサ等が登場してきている。これらをオーダエントリシステムが導入されている店舗で使用すれば、御飯を盛り付ける作業や味噌汁をよそう作業そのものを自動化できるため、人手による作業を低減できる。
【０００６】
この点、御飯を盛り付ける作業や味噌汁をよそう作業の開始は、例えば自動盛付機等のスタートボタンを押すなど人手によって指示する必要がある。そのため調理担当者は、ご飯や味噌汁と同時に提供する主菜を調理し終わるタイミングに合わせて、自動盛付機等のスタートボタンを押すなどの操作を行う必要がある。これは仮に特許文献１に記載の技術等を利用した場合でも同様であって、調理担当者は、自動盛付機等のスタートボタンを押すなどの操作を行う必要がある。この時、調理担当者が作業開始の指示を忘れてしまうと、注文品の全てが提供可能状態になることが遅れることになり、結果的に顧客への料理提供が遅れてしまうという課題が生じる。
【０００７】
そこで本発明は、注文品の全てが提供可能状態になることが遅れるおそれ無しに人手による作業を低減することが可能な、提供管理装置、提供管理システム、提供管理方法及び提供管理プログラムを提供することを目的とする。
【課題を解決するための手段】
【０００８】
本発明の第１の観点によれば、調理を要する第１の品と、調理済み又は調理不要の第２の品とを含んだ注文を受け付けた場合に、前記注文に含まれる前記第１の品を調理する自動調理装置に対して、前記注文に含まれる前記第１の品を調理するように指示を出し、少なくとも、該指示に応じた前記自動調理装置による調理完了を表す通知を受け付けることにより、前記注文に含まれる前記第１の品についての調理の完了を検出し、前記注文に含まれる前記第２の品を供給する装置である自動供給装置に対して、前記注文に含まれる前記第１の品についての調理が完了したことを契機として、前記注文に含まれる前記第２の品を供給するように指示を出すことを特徴とする提供管理装置が提供される。
本発明の第２の観点によれば、調理を要する第１の品と、調理済み又は調理不要の第２の品とを含んだ注文を受け付けた場合に、少なくとも、前記注文に含まれる前記第１の品の調理を完了したユーザからの入力を受け付けることにより、前記注文に含まれる前記第１の品についての調理の完了を検出し、前記注文に含まれる前記第２の品を供給する装置である自動供給装置に対して、前記注文に含まれる前記第１の品についての調理が完了したことを契機として、前記注文に含まれる前記第２の品を供給するように指示を出すことを特徴とする提供管理装置が提供される。
【０００９】
本発明の第３の観点によれば、上記本発明の第１の観点により提供される提供管理装置又は上記本発明の第２の観点により提供される提供管理装置と、前記提供管理装置の指示に応じて前記注文に含まれる前記第２の品を供給する装置である自動供給装置と、を備えることを特徴とする提供管理システムが提供される。
【００１０】
本発明の第４の観点によれば、調理を要する第１の品と、調理済み又は調理不要の第２の品とを含んだ注文を受け付けた場合に、前記注文に含まれる前記第１の品を調理する自動調理装置に対して、前記注文に含まれる前記第１の品を調理するように指示を出し、少なくとも、該指示に応じた前記自動調理装置による調理完了を表す通知を受け付けることにより、前記注文に含まれる前記第１の品についての調理の完了を検出し、前記注文に含まれる前記第２の品を供給する装置である自動供給装置に対して、前記注文に含まれる前記第１の品についての調理が完了したことを契機として、前記注文に含まれる前記第２の品を供給するように指示を出すことを特徴とする提供管理装置としてコンピュータを機能させることを特徴とする提供管理プログラムが提供される。
本発明の第５の観点によれば、調理を要する第１の品と、調理済み又は調理不要の第２の品とを含んだ注文を受け付けた場合に、少なくとも、前記注文に含まれる前記第１の品の調理を完了したユーザからの入力を受け付けることにより、前記注文に含まれる前記第１の品についての調理の完了を検出し、前記注文に含まれる前記第２の品を供給する装置である自動供給装置に対して、前記注文に含まれる前記第１の品についての調理が完了したことを契機として、前記注文に含まれる前記第２の品を供給するように指示を出すことを特徴とする提供管理装置としてコンピュータを機能させることを特徴とする提供管理プログラムが提供される。
【００１１】
本発明の第６の観点によれば、提供管理装置と、前記提供管理装置と接続された自動供給装置と、を備えるシステムが行う提供管理方法であって、前記提供管理装置が、調理を要する第１の品と、調理済み又は調理不要の第２の品とを含んだ注文を受け付けた場合に、前記注文に含まれる前記第１の品を調理する自動調理装置に対して、前記注文に含まれる前記第１の品を調理するように指示を出し、少なくとも、該指示に応じた前記自動調理装置による調理完了を表す通知を受け付けることにより、前記注文に含まれる前記第１の品についての調理の完了を検出し、前記注文に含まれる前記第２の品を供給する装置である前記自動供給装置に対して、前記注文に含まれる前記第１の品についての調理が完了したことを契機として前記注文に含まれる前記第２の品を供給するように指示を出し、前記自動供給装置が、前記提供管理装置の指示に応じて前記注文に含まれる前記第２の品を供給する、ことを特徴とする提供管理方法が提供される。
本発明の第７の観点によれば、提供管理装置と、前記提供管理装置と接続された自動供給装置と、を備えるシステムが行う提供管理方法であって、前記提供管理装置が、調理を要する第１の品と、調理済み又は調理不要の第２の品とを含んだ注文を受け付けた場合に、少なくとも、前記注文に含まれる前記第１の品の調理を完了したユーザからの入力を受け付けることにより、前記注文に含まれる前記第１の品についての調理の完了を検出し、前記注文に含まれる前記第２の品を供給する装置である前記自動供給装置に対して、前記注文に含まれる前記第１の品についての調理が完了したことを契機として前記注文に含まれる前記第２の品を供給するように指示を出し、前記自動供給装置が、前記提供管理装置の指示に応じて前記注文に含まれる前記第２の品を供給する、ことを特徴とする提供管理方法が提供される。
【発明の効果】
【００１２】
本発明によれば、注文品の全てが提供可能状態になることが遅れるおそれ無しに人手による作業を低減することが可能となる。
【図面の簡単な説明】
【００１３】
【図１】本発明の第１の実施形態の基本的構成を表す図である。
【図２】本発明の各実施形態における提供管理機能ブロック群を表すブロック図である。
【図３】本発明の実施形態において使用する商品マスタの第１の具体例を表す図である。
【図４】本発明の実施形態において使用する商品自動供給装置テーブルの具体例を表す図である。
【図５】本発明の実施形態において受け付ける注文データの具体例を表す図である。
【図６】本発明の第１の実施形態の基本的動作を表すシーケンス図である。
【図７】本発明の第２の実施形態の基本的構成を表す図である。
【図８】本発明の第２の実施形態の基本的動作を表すシーケンス図である。
【図９】本発明の第３の実施形態の基本的構成を表す図である。
【図１０】本発明の実施形態において使用する商品マスタの第２の具体例を表す図である。
【図１１】本発明の実施形態において使用する商品自動供給装置・自動調理装置テーブルの具体例を表す図である。
【図１２】本発明の第３の実施形態の基本的動作を表すシーケンス図である。
【図１３】本発明の実施形態の変形例の基本的構成を表す図である。
【発明を実施するための形態】
【００１４】
次に、本発明の実施形態について図面を参照して詳細に説明する。
【００１５】
まず本発明の第１の実施形態の構成について図１を参照して説明する。ここで、図１は本実施形態であるオーダエントリシステム１００１の全体の構成を表す図である。
【００１６】
図１を参照するとオーダエントリシステム１００１は、米飯自動盛付機１０１、味噌汁ディスペンサ１０２、厨房端末装置２００（本発明の「提供管理装置」に対応する。）、ＰＯＳ端末装置３００、コントロール端末装置４００、ワイヤレスアクセスポイント（ＷＡＰ：Wireless Access Point）５００及び注文入力端末装置６００を含む。
【００１７】
ここで各装置及び端末間はそれぞれ他の端末又は装置と通信接続されている。具体的には、ＰＯＳ端末装置３００とコントロール端末装置４００間、厨房端末装置２００とコントロール端末装置４００間、ワイヤレスアクセスポイント５００とコントロール端末装置４００間は、それぞれ有線ＬＡＮ（Local Area Network）で接続されている。
【００１８】
また、注文入力端末装置６００は、ワイヤレスアクセスポイント５００を介してコントロール端末装置４００と接続されている。具体的には、注文入力端末装置６００とワイヤレスアクセスポイント５００間は無線ＬＡＮで接続されている。そして、注文入力端末装置６００が送信したデータは、ワイヤレスアクセスポイント５００へ無線通信にて送信され、ワイヤレスアクセスポイント５００からコントロール端末装置４００へ有線通信にて送信される。また、コントロール端末装置４００が送信したデータは、ワイヤレスアクセスポイント５００へ有線通信にて送信され、ワイヤレスアクセスポイント５００から無線通信にて注文入力端末装置６００へ送信される。
【００１９】
なお、上述した有線ＬＡＮによる接続の一部又は全部を無線ＬＡＮによる接続としても良い。
【００２０】
また、米飯自動盛付機１０１と味噌汁ディスペンサ１０２は、通信線で厨房端末装置２００に有線又は無線接続されている。
【００２１】
注文入力端末装置６００は、店舗の従業員が携帯し、顧客の注文を入力する装置である。注文入力端末装置６００は、複数台がオーダエントリシステム１００１内に含まれる。本説明においては、注文入力端末装置６００−１、注文入力端末装置６００−２及び注文入力端末装置６００−ｎを図示する。
【００２２】
ワイヤレスアクセスポイント５００は、注文入力端末装置６００による無線通信を中継する装置である。
【００２３】
厨房端末装置２００は、厨房に設置され、注文入力端末装置６００に入力された顧客の注文を出力することにより調理担当者に対して調理を指示する装置である。
【００２４】
厨房端末装置２００は、顧客の注文を印字出力するキッチンプリンタであっても良いし、顧客の注文を表示するキッチンディスプレイであっても良いし、これらの組み合わせであっても良い。厨房端末装置２００は、複数台であってもよい。
【００２５】
ＰＯＳ端末装置３００は、顧客が飲食した料理等の代金の会計処理を行う装置である。
【００２６】
米飯自動盛付機１０１は、食器に御飯の盛り付けを行う装置である。味噌汁ディスペンサ１０２は、食器に味噌汁をよそう装置である。なお、米飯自動盛付機１０１及び味噌汁ディスペンサ１０２は共に、指示に応じて品（商品）を自動で供給する装置であることから、以下の説明において米飯自動盛付機１０１及び味噌汁ディスペンサ１０２のことを適宜「商品自動供給装置１００」と呼ぶ。また、商品自動供給装置１００が供給する品（商品）のことを適宜「自動供給対象商品」と呼ぶ。対して、自動供給対象商品以外の調理担当者による人手での調理が必要な品（商品）のことを適宜「手動調理対象商品」と呼ぶ。なお、商品自動供給装置１００には、御飯や味噌汁等の調理済みの商品を供給する装置だけでなく、生食できる食品や、ジュース等の加工品といった調理が不要な商品を供給する装置を含ませても良い。
【００２７】
コントロール端末装置４００は、システム全体の制御を行う装置である。
【００２８】
次に、本実施形態特有の処理を実現するための機能ブロックについて、提供管理機能ブロック群８００として図２を参照して説明する。本実施形態では、厨房端末装置２００が提供管理機能ブロック群８００を含む。なお、図２に表すのは特に本実施形態における特有の処理と関連する機能ブロックのみである。厨房端末装置２００は、提供管理機能ブロック群８００以外にも厨房端末装置としての一般的な機能を実現するための機能ブロックや他の機器との通信を行うための機能ブロックを更に含んでいるがこれらの図示は省略する。
【００２９】
図２を参照すると提供管理機能ブロック群８００は、提供管理部８０１、通信部８０２及び記憶部８０３を含む。
【００３０】
提供管理部８０１は、注文の内容を把握し、必要な場合には商品自動調理装置７００への調理開始指示を行う。その後、注文に含まれる調理を要する商品の調理が完了した旨の入力を、調理を完了した調理担当者や商品自動調理機から受け付ける。または、調理を要する商品の調理時間の平均等から調理の完了を予測する。そして、調理が完了したと判断できた場合には商品自動供給装置１００に対して自動供給対象商品の提供を指示する。
【００３１】
通信部８０２は、商品自動供給装置１００や後述する商品自動調理装置７００と通信を行うための機能を実現する。例えば、調理が完了した旨の通知を受信し、受信した通知を提供管理部８０１に出力する。また、提供管理部８０１が出力した自動供給指示や自動調理指示の送信を行う。
【００３２】
記憶部８０３は、各種の情報を記憶する部分である。記憶部８０３は例えばコントロール端末装置４００から送信された、注文の内容を表す注文データを記憶する。また、記憶部８０３は、後述する商品マスタや商品自動供給装置テーブル及び商品自動供給装置・商品自動調理装置テーブル等を記憶するようにしても良い。これらの情報は提供管理部８０１により参照される。また、これらの情報が外部の装置に格納されており、提供管理部８０１が外部の装置と通信を行うことによりこれらの情報を参照するようにしても良い。
【００３３】
以上が提供管理機能ブロック群８００に含まれる各機能ブロックの内容である。
【００３４】
なお、以下に説明する各実施形態及びその変更例では、それぞれ異なる装置に提供管理機能ブロック群８００が含まれる。具体的には、第１の実施形態及び第３の実施形態では厨房端末装置２００に、第２の実施形態及び第４の実施形態ではコントロール端末装置４００に、図１３に表される変形例ではＰＯＳ端末装置３１０に、それぞれ提供管理機能ブロック群８００が含まれる。また、厨房端末装置２００に含まれる場合と同様に、提供管理機能ブロック群８００以外の、コントロール端末装置やＰＯＳ端末装置としての一般的な機能を実現するための機能ブロックや他の機器との通信を行うための機能ブロックについては図示を省略する。
【００３５】
続いて、図３乃至図５を参照して、本実施形態のオーダエントリシステム１００１による各種の情報の管理方法について説明する。
【００３６】
図３は、注文入力端末装置６００に入力された顧客の注文に関する処理を行う際に、オーダエントリシステム１００１内に含まれる各機器が参照する商品マスタの一具体例を表す図である。
【００３７】
商品マスタでは、品（商品）毎に、商品コード、商品名称、単価及び自動供給装置コードの項目が紐付けられる。
【００３８】
ここで、本実施形態特有の項目である「自動供給装置コード」について説明をする。自動供給対象商品でない商品に対しては、この項目は空白である（例えば、ＮＵＬＬが書き込まれる。）。これに対して、自動供給対象商品に対しては、この商品を供給する商品自動供給装置１００の装置コードが、この項目に書き込まれている。例えば、「御飯（小）」、「御飯（中）」及び「御飯（大）」は、共通に御飯用の商品自動供給装置１００である米飯自動盛付機１０１が自動供給のために利用される。そのため、これら「御飯（小）」、「御飯（中）」及び「御飯（大）」の自動供給装置コードの項目には、米飯自動盛付機１０１の装置コードである「０１」が書き込まれている。味噌汁用の商品自動供給装置１００である味噌汁ディスペンサ１０２によって自動で供給される商品である「味噌汁」の自動供給装置コードの項目には、味噌汁ディスペンサ１０２装置コードである「０２」が書き込まれている。
【００３９】
ここで、装置コードについて図４を参照して説明する。図４は、商品自動供給装置テーブルの一具体例を表す図である。
【００４０】
商品自動供給装置テーブルには、商品自動供給装置１００である米飯自動盛付機１０１や味噌汁ディスペンサ１０２を識別するための装置コードと装置名称とが対応付けられる。本例では、米飯自動盛付機１０１に対応する装置コードは「０１」であるとする。また、味噌汁ディスペンサ１０２に対応する装置コードは「０２」であるとする。そのため、図３の商品マスタでは、御飯（小）〜（大）には、御飯（小）〜（大）を提供する装置である米飯自動盛付機１０１に対応する装置コード「０１」が紐付けられる。また、味噌汁には、味噌汁を提供する装置である味噌汁ディスペンサ１０２に対応する装置コード「０２」が紐付けられる。
【００４１】
なお、これら商品マスタ及び商品自動供給装置テーブルは、例えばコントロール端末装置４００が記憶する。そして、コントロール端末装置４００以外の他の装置はコントロール端末装置４００と通信を行うことにより商品マスタ及び商品自動供給装置テーブルを参照する。なお、コントロール端末装置４００以外の他の装置の一部又は全部が記憶するようにしても良い。
【００４２】
次に、図５を参照して注文入力端末装置６００に入力される顧客の注文内容について説明する。図５は、顧客の注文に対応した注文データの一例である。
【００４３】
ここで注文データの一例に含まれる各項目について説明する。注文番号は、本注文を特定するための番号である。図の例では、日付と同一日内の通し番号より構成されている。卓番は、顧客の座席位置であるテーブルそれぞれに割り当てられた番号である。注文品には顧客の注文した商品に関する情報が含まれる。商品に関する情報とは、図の例では、商品コード、商品名称、単価、注文を受けた数量である。また、商品自動供給装置１００により提供される商品の自動供給装置コードの項目には、それを提供する商品自動供給装置１００の装置コードも加えられる。他方で、自動供給対象でない商品の自動供給装置の項目は、空白のままである。
【００４４】
具体的には、今回の注文例では、「カレイ煮付け」、「御飯（中）［１５０ｇ］」及び「味噌汁」が注文品に含まれている。そして、注文品中、「カレイ煮付け」は、厨房の作業員によって調理が必要な手動調理対象商品であり、「御飯（中）［１５０ｇ］」は、米飯自動盛付機１０１によって自動供給される自動供給対象商品であり、「味噌汁」は、味噌汁ディスペンサ１０２によって自動供給される自動供給対象商品である。
【００４５】
また、自動供給対象商品である、「御飯（中）［１５０ｇ］」の自動供給装置コードの項目の値は、「０１」であり、自動供給対象商品である、「味噌汁」の自動供給装置コードの項目の値は、「０２」である。他方で、自動供給対象でなく手動調理対象商品である「カレイ煮付け」の自動供給装置コードの項目は、空白である。
【００４６】
なお、自動供給対象装置コードの項目は、注文データを作成した初期状態では空白であるが、自動供給対象装置コードのその項目には、提供管理部８０１などが、記憶部８０３などに記憶されている商品マスタを、注文データに含まれる商品コードをキーとして検索することにより得た、注文された商品を供給する商品自動供給装置１００の装置コードが書き込まれている。
【００４７】
続いて、図６を参照して本実施形態の基本的な動作について説明する。図６は、本実施形態のオーダエントリシステム１００１における顧客の注文入力から注文品の調理完了までの動作を表すシーケンス図である。
【００４８】
まず、注文入力端末装置６００が顧客の注文の入力を受け付ける（ステップＳ１０）。次に、注文入力端末装置６００は、受け付けた顧客の注文をコントロール端末装置４００に送信する（ステップＳ１１）。
【００４９】
コントロール端末装置４００は、顧客の注文を受け付けて記憶すると共に、厨房端末装置２００に注文品の内容を注文データとして送信することにより調理を指示する（ステップＳ１２）。
【００５０】
厨房端末装置２００は、コントロール端末装置４００から送信されてきた注文品の内容を出力する（ステップＳ１３）。より詳細には、厨房端末装置２００の提供管理部８０１が、注文データを受信する。そして、注文データ内に含まれる商品コードをキーとして商品マスタを検索し、キーとした商品コードに対応する自動供給装置コードを取得する。そして、取得した自動供給装置コードを、注文データ内の自動供給装置コードの項目に書き込む。
【００５１】
また、自動供給の対象ではない手動調理対象商品について商品コードをキーとして商品マスタを検索した場合には、商品マスタの自動供給装置コードの項目は空白である。この場合には、注文データ内の自動供給装置コードの項目を空白とする（例えば、ＮＵＬＬが書き込まれる。）か、何も書き込まない。そして、これ以降の処理においては、注文データ内の自動供給装置コードの項目が空白又は何も書き込まれていない商品については、自動供給の対象ではない手動調理対象商品として扱う。
【００５２】
そして、少なくとも、自動供給装置コードの項目が空白である全ての商品（すなわち、自動供給対象でない全ての手動調理対象商品）について出力する。また、併せて自動供給装置コードの欄に自動供給装置コードが書き込まれている商品（すなわち、自動供給対象商品）の一部又は全部も出力するようにしても良い。
【００５３】
具体的には、厨房端末装置２００がキッチンプリンタである場合は、注文品を印刷して出力し、厨房端末装置２００がキッチンディスプレイである場合は、注文品を表示部に表示する。なお、この出力の際に自動供給対象商品も出力する場合には、手動調理対象商品と自動供給対象商品とを調理担当者が判別可能なように出力する。例えば、自動供給対象商品には「自動供給」等の文言や音声を付加する一方で、手動調理対象商品にはこのような文言や音声は付加しない、といった形で出力する。
【００５４】
厨房の調理担当者は、調理が必要な手動調理対象商品の調理を行い、調理が完了すると、厨房端末装置２００に調理が完了した手動調理対象商品について、調理が完了した旨を入力するので、厨房端末装置２００はこの入力を受け付ける（ステップＳ１４）。より詳細には、厨房端末装置２００内の提供管理部８０１が入力を受け付け、対応する手動調理対象商品について、調理が完了した旨を把握する。例えば図５に表される注文データ例の注文を受けていたとするならば、厨房の調理担当者は「カレイ煮付け」の調理が完了すると、「カレイ煮付け」について、調理が完了した旨を入力するので、厨房端末装置２００はこの入力を受け付ける。なお、注文品中に手動調理対象商品が複数あれば、複数の手動調理対象商品それぞれについて調理が行われ、調理が完了すると、それぞれの手動調理対象商品について調理完了が入力される。
【００５５】
注文品中の全ての手動調理対象商品の調理完了が入力されると、厨房端末装置２００は、注文品中の自動供給対象商品について、自動供給対象商品に対応する商品自動供給装置１００に自動供給を指示する（ステップＳ１５）。より詳細には、ステップＳ１３で書き直した注文データに基づき、自動供給装置コードの欄が空白である全ての商品（すなわち、手動調理対象商品）について、調理が完了していると判断したならば、自動供給装置コードの欄に自動供給装置コードが書き込まれている商品（すなわち、自動供給対象商品）を、その識別情報を有する商品自動供給装置１００に供給させるための指示（自動供給指示）を、その商品自動供給装置１００に対して、出力する。例えば図５に表される注文例の注文を受けていたとするならば、注文品中に自動供給対象商品として「御飯（中）［１５０ｇ］」と「味噌汁」がある。そこで、厨房端末装置２００は、米飯自動盛付機１０１に「御飯（中）［１５０ｇ］」の自動供給を指示し、味噌汁ディスペンサ１０２に「味噌汁」の自動供給を指示する。なお、仮に注文品中の自動供給対象商品が、「御飯」と「味噌汁」の何れかのみであれば、米飯自動盛付機１０１と味噌汁ディスペンサ１０２の何れかの、注文に含まれる自動供給対象商品に対応する商品自動供給装置１００のみに指示をする。更に、仮に注文品中に「御飯」や「味噌汁」といった自動供給対象商品が含まれていなければ、商品自動供給装置１００に自動供給を指示することなく、そのままＳ１８に移行する。
【００５６】
自動供給の実行を指示された商品自動供給装置１００は、商品の自動供給を実行する（ステップＳ１６）。例えば、米飯自動盛付機１０１は、注文品に応じた重量の御飯を食器に盛り付ける。また、味噌汁ディスペンサ１０２は、食器に味噌汁をよそう。
【００５７】
商品自動供給装置１００は、商品が自動供給された食器が、調理担当者等により供給位置から取り去られたことを検知すると、厨房端末装置２００に対して自動供給が完了した旨を通知する（ステップＳ１７）。
【００５８】
厨房端末装置２００は、商品自動供給装置１００からの供給完了通知を受信すると、コントロール端末装置４００に対して注文品調理が完了した旨の通知を送信する（ステップＳ１８）。より詳細には、厨房端末装置２００内の提供管理部８０１が通信部８０２を介して供給完了通知を受信すると、コントロール端末装置４００に対して注文品調理が完了した旨の通知を送信する。
【００５９】
コントロール端末装置４００は、厨房端末装置２００からの注文品調理完了通知を受信すると、注文品の配膳を促すため、注文入力端末装置６００に注文品調理完了通知を送信する（ステップＳ１９）。注文品調理完了通知を受信した注文入力端末装置６００は、注文品の配膳を促すため、注文品の全ての調理が完了し、注文品の全ての提供が可能な状態になったことを店舗の授業員に知らせる情報を出力する。出力は、例えば注文入力端末装置６００に含まれる表示部への表示や、注文入力端末装置６００からの音による出力や、注文入力端末装置６００を振動させること、の何れか又はその組み合わせにより行う。
【００６０】
以上説明した本実施形態は、厨房端末装置２００が、厨房の調理担当者による調理完了のタイミングに基づいて、商品自動供給装置１００に指示を出し、これに応じて商品自動供給装置１００が供給を行うことから、注文品の全てが提供可能状態になることが遅れるおそれ無しに人手による作業を低減することが可能となる、という効果を奏する。
【００６１】
また、調理担当者は自身が調理した注文品についての調理完了した旨の入力を行えば良く、他の注文品を供給する商品自動供給装置１００に対しての自動供給指示を行う必要はない。よって、人手による作業を低減することが可能となるという効果を奏する。
【００６２】
また、複数の調理担当者がそれぞれ別の注文品を調理するような場合も有り得るが、本実施形態であれば調理担当者は自身が調理する注文品の調理完了についてのみ把握すれば良く、他の調理担当者が調理する注文品が既に調理完了済みであるか等を把握する必要がなくなるという効果も奏する。なぜならば、厨房端末装置２００が全ての注文品について調理が完了したか否かを管理するからである。
【００６３】
なお、上記した本実施形態では、注文品中の手動調理対象商品全ての調理が完了した後、商品自動供給装置１００に自動供給を指示している（ステップＳ１４及びステップＳ１５）。もっとも、本実施形態の処理方法はこれに限定されない。
【００６４】
例えば、手動調理対象商品全ての平均的な調理時間に基づいて、注文品出力から所定時間経過後に、商品自動供給装置１００に自動供給を指示するようにしてもよい。或いは、各商品について標準的調理時間を記憶しておき、注文品中で最も時間のかかる商品の調理が終了する所定時間前に、商品自動供給装置１００に自動供給を指示するようにしてもよい。また、これらの方法を取ると共に、混雑度に応じて上記所定の時間を異ならせるようにしても良い。例えば、注文が殺到し、未だ調理が完了していない注文が多数ある場合には上記所定の時間を長くするようにしても良い。厨房端末装置２００は、調理開始時に調理人からの所定の入力を受け付けて、それから所定時間経過後に、商品自動供給装置１００に自動供給を指示するようにしてもよい。
【００６５】
次に、本発明の第２の実施形態の構成について図７を参照して説明する。ここで、図７は第２の実施形態であるオーダエントリシステム１００２全体の構成を表す図である。
【００６６】
図７を参照するとオーダエントリシステム１００２は、米飯自動盛付機１０１、味噌汁ディスペンサ１０２、厨房端末装置２００、ＰＯＳ端末装置３００、コントロール端末装置４００（本発明の「提供管理装置」に対応する。）、ワイヤレスアクセスポイント５００及び注文入力端末装置６００を含む。このように、オーダエントリシステム１００２内に含まれる各機器の種別は第１の実施形態と第２の実施形態とで同一である。また、下述する相違点に関する部分を除いて、各機器の構成及び機能も第１の実施形態と第２の実施形態とで同一である。従って、これら各機器の構成及び機能については説明を省略する。
【００６７】
一方で、第１の実施形態では商品自動供給装置１００（米飯自動盛付機１０１及び味噌汁ディスペンサ１０２）が、厨房端末装置２００に接続されていた。しかし、第２の実施形態では、商品自動供給装置１００（米飯自動盛付機１０１及び味噌汁ディスペンサ１０２）が、コントロール端末装置４００に通信線で接続されており、コントロール端末装置４００内の提供管理機能ブロック群８００が、米飯自動盛付機１０１と味噌汁ディスペンサ１０２に自動供給の指示を行う点で、第１の実施形態と第２の実施形態は相違している。
【００６８】
続いて、図８を参照して本実施形態の基本的な動作について説明する。図８は、本実施形態のオーダエントリシステム１００２における顧客の注文入力から注文品の調理完了までの動作を表すシーケンス図である。
【００６９】
まず、注文入力端末装置６００が顧客の注文の入力を受け付ける（ステップＳ２０）。次に、注文入力端末装置６００は、受け付けた顧客の注文をコントロール端末装置４００に送信する（ステップＳ２１）。
【００７０】
コントロール端末装置４００は、顧客の注文を受け付けて記憶すると共に、厨房端末装置２００に注文品の内容を送信して調理を指示する（ステップＳ２２）。より詳細には、コントロール端末装置４００の提供管理部８０１が、顧客の注文を注文データとして受信する。そして、注文データ内に含まれる商品コードをキーとして商品マスタを検索し、キーとした商品コードに対応する自動供給装置コードを取得する。そして、取得した自動供給装置コードを、注文データ内の自動供給装置コードの項目に書き込む。
【００７１】
また、自動供給の対象ではない手動調理対象商品について商品コードをキーとして商品マスタを検索した場合には、商品マスタの自動供給装置コードの項目は空白である。この場合には、注文データ内の自動供給装置コードの項目を空白とする（例えば、ＮＵＬＬが書き込まれる。）か、何も書き込まない。そして、これ以降の処理においては、注文データ内の自動供給装置コードの項目が空白又は何も書き込まれていない商品については、自動供給の対象ではない手動調理対象商品として扱う。そして、書き込み後の注文データを通信部８０２を介して送信する。
【００７２】
厨房端末装置２００は、コントロール端末装置４００から送信されてきた注文データの内容を出力する（ステップＳ２３）。この際、自動供給装置コードの項目が空白である全ての商品（すなわち、自動供給対象でない全ての手動調理対象商品）について出力する。また、併せて自動供給装置コードの欄に自動供給装置コードが書き込まれている商品（すなわち、自動供給対象商品）の一部又は全部も出力するようにしても良い。
【００７３】
具体的には、厨房端末装置２００がキッチンプリンタである場合は、注文品を印刷して出力し、厨房端末装置２００がキッチンディスプレイである場合は、注文品を表示部に表示する。なお、この出力の際に自動供給対象商品も出力する場合には、手動調理対象商品と自動供給対象商品とを調理担当者が判別可能なように出力する。例えば、自動供給対象商品には「自動供給」等の文言や音声を付加する一方で、手動調理対象商品にはこのような文言や音声は付加しない、といった形で出力する。
【００７４】
厨房の調理担当者は、調理が必要な手動調理対象商品の調理を行い、調理が完了すると、厨房端末装置２００に調理が完了した手動調理対象商品について、調理が完了した旨を入力するので、厨房端末装置２００はこの入力を受け付ける（ステップＳ２４）。例えば図５に表される注文例の注文を受けていたとするならば、厨房の調理担当者は「カレイ煮付け」の調理が完了すると、「カレイ煮付け」について、調理が完了した旨を入力するので、厨房端末装置２００はこの入力を受け付ける。なお、注文品中に手動調理対象商品が複数あれば、複数の手動調理対象商品それぞれについて調理が行われ、調理が完了すると、それぞれの手動調理対象商品について調理完了が入力される。
【００７５】
注文品中の全ての手動調理対象商品の調理完了が入力されると、厨房端末装置２００は、コントロール端末装置４００に調理が完了した旨の通知を送信する（ステップＳ２５）。
【００７６】
コントロール端末装置４００は、厨房端末装置２００から調理完了を受信すると、注文品中の自動供給対象商品について、自動供給対象商品に対応する商品自動供給装置１００に自動供給を指示する（ステップＳ２６）。より詳細には、自動供給装置コードの欄に自動供給装置コードが書き込まれている商品（すなわち、自動供給対象商品）を、その識別情報を有する商品自動供給装置１００に供給させるための指示（自動供給指示）を、その商品自動供給装置１００に対して、出力する。例えば図５に表される注文例の注文を受けていたとするならば、注文品中に自動供給対象商品として「御飯（中）［１５０ｇ］」と「味噌汁」がある。そこで、厨房端末装置２００は、米飯自動盛付機１０１に「御飯（中）［１５０ｇ］」の自動供給を指示し、味噌汁ディスペンサ１０２に「味噌汁」の自動供給を指示する。なお、仮に注文品中の自動供給対象商品が、「御飯」と「味噌汁」の何れかのみであれば、米飯自動盛付機１０１と味噌汁ディスペンサ１０２の何れかの、注文に含まれる自動供給対象商品に対応する商品自動供給装置１００のみに指示をする。更に、仮に注文品中に「御飯」や「味噌汁」といった自動供給対象商品が含まれていなければ、商品自動供給装置１００に自動供給を指示することなく、そのままＳ２９に移行する。
【００７７】
自動供給の実行を指示された商品自動供給装置１００は、商品の自動供給を実行する（ステップＳ２７）。例えば、米飯自動盛付機１０１は、注文品に応じた重量の御飯を食器に盛り付ける。また、味噌汁ディスペンサ１０２は、食器に味噌汁をよそう。
【００７８】
商品自動供給装置１００は、商品が自動供給された食器が、調理担当者等により供給位置から取り去られたことを検知すると、コントロール端末装置４００に対して自動供給が完了した旨を通知する（ステップＳ２８）。
【００７９】
コントロール端末装置４００は、商品自動供給装置１００からの供給完了通知を受信すると、注文品の配膳を促すため、注文入力端末装置６００に注文品調理完了通知を送信する（ステップＳ２９）。注文品調理完了通知を受信した注文入力端末装置６００は、注文品の配膳を促すため、注文品の全ての調理が完了し、注文品の全ての提供が可能な状態になったことを店舗の授業員に知らせる情報を出力する。出力は、例えば注文入力端末装置６００に含まれる画面への表示や、注文入力端末装置６００からの音による出力や、注文入力端末装置６００を振動させること、の何れか又はその組み合わせにより行う。
【００８０】
以上説明した本実施形態は、コントロール端末装置４００が適切なタイミングにて、商品自動供給装置１００に指示を出し、これに応じて商品自動供給装置１００が自動で供給を行うことから、調理の完了が遅れるおそれ無しに人手による作業を低減することが可能となる、という効果を奏する。
【００８１】
なお、上記した本実施形態では、注文品中の手動調理対象商品全ての調理が完了した後、商品自動供給装置１００に自動供給を指示している（ステップＳ２４、ステップＳ２５及びステップＳ２６）。もっとも、本実施形態の処理方法はこれに限定されない。
【００８２】
例えば、手動調理対象商品全ての平均的な調理時間に基づいて、注文品出力から所定時間経過後に、商品自動供給装置１００に自動供給を指示するようにしてもよい。或いは、各商品について標準的調理時間を記憶しておき、注文品中で最も時間のかかる商品の調理が終了する所定時間前に、商品自動供給装置１００に自動供給を指示するようにしてもよい。また、これらの方法を取ると共に、混雑度に応じて上記所定の時間を異ならせるようにしても良い。例えば、注文が殺到し、未だ調理が完了していない注文が多数ある場合には上記所定の時間を長くするようにしても良い。厨房端末装置２００は、調理開始時に調理人からの所定の入力を受け付けて、それから所定時間経過後に、商品自動供給装置１００に自動供給を指示するようにしてもよい。
【００８３】
次に、本発明の第３の実施形態の構成について図９を参照して説明する。ここで、図９は第３の本実施形態であるオーダエントリシステム１００３全体の構成を表す図である。
【００８４】
図９を参照するとオーダエントリシステム１００３は、米飯自動盛付機１０１、味噌汁ディスペンサ１０２、厨房端末装置２００（本発明の「提供管理装置」に対応する。）、ＰＯＳ端末装置３００、コントロール端末装置４００、ワイヤレスアクセスポイント５００、注文入力端末装置６００及び自動フライヤー７０１を含む。
【００８５】
第３の実施形態と第１の実施形態とを比較すると、第３の実施形態では、自動フライヤー７０１が追加されている点で異なる。ここで、自動フライヤー７０１は、指示に応じて自動で注文品中のフライ（揚げ物）を調理する装置である。また、自動フライヤー７０１は、厨房端末装置２００と通信線で接続されている。
【００８６】
なお、自動フライヤー７０１は、指示に応じて品（商品）を自動で調理する装置であることから、以下の説明において自動フライヤー７０１のことを適宜「商品自動調理装置７００」と呼ぶ。また、商品自動調理装置７００が調理する品（商品）のことを適宜「自動調理対象商品」と呼ぶ。
【００８７】
また、第３の実施形態では、商品マスタ及び商品自動供給装置テーブルについても第１の実施形態とは異なる。具体的には、図１０に表されるように、第１の実施形態の商品マスタ（図３参照）に、第３の実施形態では「自動調理装置コード」欄が追加されている。そして、自動調理対象商品の「自動調理装置コード」欄には、その商品に対応する装置コードが紐付けられている。
【００８８】
また、図１１に表されるように、第１の実施形態の「商品自動供給装置テーブル」（図４参照）は、第３の実施形態では「商品自動供給装置・自動調理装置テーブル」となっている。本例であれば、装置コード「０３」の自動フライヤー７０１が追加されている。また、「白身魚フライ」は、自動フライヤー７０１により自動調理されるため、図１０に表される「白身魚フライ」「自動調理装置コード」欄には、自動フライヤー７０１の装置コード「０３」が紐付けられている。
【００８９】
続いて、図１２を参照して本実施形態の基本的な動作について説明する。図１２は、本実施形態のオーダエントリシステム１００３における顧客の注文入力から注文品の調理完了までの動作を表すシーケンス図である。
【００９０】
まず、注文入力端末装置６００が顧客の注文の入力を受け付ける（ステップＳ３０）。次に、注文入力端末装置６００は、受け付けた顧客の注文をコントロール端末装置４００に送信する（ステップＳ３１）。
【００９１】
コントロール端末装置４００は、顧客の注文を受け付けて記憶すると共に、厨房端末装置２００に注文品の内容を注文データとして送信して調理を指示する（ステップＳ３２）。
【００９２】
厨房端末装置２００は、コントロール端末装置４００から送信されてきた注文品の内容を出力する（ステップＳ３３）。より詳細には、厨房端末装置２００の提供管理部８０１が、注文データを受信する。そして、注文データ内に含まれる商品コードをキーとして商品マスタを検索し、キーとした商品コードに対応する自動供給装置コード又は自動調理装置コードを取得する。そして、取得した自動供給装置コード又は自動調理装置コードを、注文データ内の自動供給装置コード又は自動調理装置コードの項目に書き込む。
【００９３】
また、自動供給対象商品及び自動調理対象商品の何れでもない手動調理対象商品について商品コードをキーとして商品マスタを検索した場合には、商品マスタの自動供給装置コード及び自動調理コードの項目は空白である。この場合には、注文データ内の自動供給装置コード及び自動調理装置コードの項目を空白とする（例えば、ＮＵＬＬが書き込まれる。）か、何も書き込まない。そして、これ以降の処理においては、注文データ内の自動供給装置コードの項目が空白又は何も書き込まれていない商品については自動供給及び自動調理の対象ではない手動調理対象商品として扱う。
【００９４】
そして、少なくとも、自動供給装置コードの項目が空白又は書き込まれていない全ての商品（すなわち、自動供給対象でない全ての手動調理対象商品）について出力する。また、併せて自動供給装置コードの欄に自動供給装置コードが書き込まれている商品（すなわち、自動供給対象商品）や、自動調理装置コードの欄に自動調理装置コードが書き込まれている商品（すなわち、自動調理対象商品）の一部又は全部も出力するようにしても良い。具体的には、厨房端末装置２００がキッチンプリンタである場合は、注文品を印刷して出力し、厨房端末装置２００がキッチンディスプレイである場合は、注文品を表示部に表示する。なお、この出力は、自動供給対象商品及び自動調理対象商品と、手動調理対象商品とを調理担当者が判別可能なように出力する。例えば、自動供給対象商品及び自動調理対象商品には「自動供給」や「自動調理」等の文言や音声を付加する一方で、手動調理対象商品にはこのような文言や音声は付加しない、といった形で出力する。
【００９５】
また、厨房端末装置２００は、注文品中に商品自動調理装置７００による自動調理の対象となる自動調理対象商品がある場合、この自動調理対象商品に対応する商品自動調理装置７００に調理を指示する（ステップＳ３４）。より詳細には、ステップＳ３３で書き直した注文データに基づき、自動調理装置コードの欄が空白でない全ての商品（すなわち、全ての自動調理対象商品）について、装置コードに対応する商品自動調理装置７００に対して通信部８０２を介して調理を指示する。例えば、注文品中に「白身魚フライ」が含まれているのであれば、厨房端末装置２００は、「白身魚フライ」に対応する自動フライヤー７０１に調理を指示する。
【００９６】
なお、注文品中に商品自動調理装置７００による自動調理の対象となる自動調理対象商品がない場合は、自動調理を指示することなく、ステップＳ３５に移行する。なお、ステップＳ３４は、ステップＳ３３における注文品出力と同時に行われても良く、ステップＳ３３を行った後にステップＳ３４を行っても良い。
【００９７】
厨房の調理担当者は、商品自動調理装置７００による自動調理の対象となる自動調理対象商品以外の、調理が必要な手動調理対象商品の調理を行い、調理が完了すると、厨房端末装置２００に調理が完了した手動調理対象商品について、調理が完了した旨を入力するので、厨房端末装置２００はこの入力を受け付ける（ステップＳ３５）。より詳細には、厨房端末装置２００内の提供管理部８０１が入力を受け付け、対応する手動調理対象商品について、調理が完了した旨を把握する。なお、注文品中に手動調理対象商品が複数あれば、複数の手動調理対象商品それぞれについて調理が行われ、調理が完了すると、それぞれの手動調理対象商品について調理完了が入力されるまた、厨房の調理担当者による調理が必要な手動調理対象商品が、注文に含まれていない場合にはステップＳ３５は省略され、厨房端末装置２００は、ステップＳ３７の通知を待機することとなる。
【００９８】
他方で、自動調理を指示された商品自動調理装置７００（例えば自動フライヤー７０１）は、自動調理対象商品を自動調理する（ステップＳ３６）。なお、商品自動調理装置７００にて調理対象とする食材は、装置内で自動的に供給されるものであってもよいし、人手によって供給されるものであってもよい。人手によって供給されるものである場合、自動調理が指示された時、調理対象とする食材が供給されていなければ、装置から警報を発するようにする。
【００９９】
自動調理を指示された商品自動調理装置７００（例えば自動フライヤー７０１）は、自動調理した商品が調理担当者等により装置から取り去られたことを検知すると、自動調理が完了した旨の通知を厨房端末装置２００対して送信する（ステップＳ３７）。なお、図１２ではステップＳ３５の後に、ステップＳ３７における調理完了通知が送信されている。しかし、先に商品自動調理装置７００による調理が完了し、その後に、厨房の調理担当者による調理が完了する場合も有り得る。この場合には、ステップＳ３７の後にステップＳ３５が行われることとなる。つまり、ステップＳ３５とステップＳ３７は順番が前後することがある。
【０１００】
厨房の調理担当者による調理、及び商品自動調理装置７００による調理が完了し、注文品中の全ての調理が必要な商品の調理完了が入力されると、厨房端末装置２００は、注文品中の自動供給対象商品について、自動供給対象商品に対応する商品自動供給装置１００に自動供給を指示する（ステップＳ３８）。より詳細には、ステップＳ３３で書き直した注文データに基づき、自動供給装置コードの欄が空白である全ての商品（すなわち、全ての自動調理対象商品及び手動調理対象商品）について、調理が完了していると判断したならば、自動供給装置コードの欄に自動供給装置コードが書き込まれている商品（すなわち、自動供給対象商品）を、その識別情報を有する自動供給装置に供給させるための指示（自動供給指示）を、その自動供給装置に対して、出力する。また、仮に注文品中に「御飯」や「味噌汁」といった自動供給多少商品が含まれていなければ、商品自動供給装置１００に自動供給を指示することなく、そのままステップＳ４１に移行する。
【０１０１】
自動供給の実行を指示された商品自動供給装置１００は、商品の自動供給を実行する（ステップＳ３９）。
【０１０２】
商品自動供給装置１００は、商品が自動供給された食器が、調理担当者等により供給位置から取り去られたことを検知すると、厨房端末装置２００に対して自動供給が完了した旨を通知する（ステップＳ４０）。
【０１０３】
厨房端末装置２００は、商品自動供給装置１００からの供給完了通知を受信すると、コントロール端末装置４００に対して注文品調理が完了した旨の通知を送信する（ステップＳ４１）。より詳細には、厨房端末装置２００内の提供管理部８０１が通信部８０２を介して供給完了通知を受信すると、コントロール端末装置４００に対して注文品調理が完了した旨の通知を送信する。
【０１０４】
コントロール端末装置４００は、厨房端末装置２００からの注文品調理完了通知を受信すると、注文品の配膳を促すため、注文入力端末装置６００に注文品調理完了通知を送信する（ステップＳ４２）。注文品調理完了通知を受信した注文入力端末装置６００は、注文品の配膳を促すため、注文品の全ての調理が完了し、注文品の全ての提供が可能な状態になったことを店舗の授業員に知らせる情報を出力する。出力は、例えば注文入力端末装置６００に含まれる画面への表示や、注文入力端末装置６００からの音による出力や、注文入力端末装置６００を振動させること、の何れか又はその組み合わせにより行う。
【０１０５】
以上説明した本実施形態は、厨房端末装置２００が、商品自動調理装置７００への調理の指示を出すと共に商品自動調理装置７００による調理の終了を把握し、商品自動調理装置７００による調理の終了に基づいたタイミングにて、商品自動供給装置１００に指示を出し、これに応じて商品自動供給装置１００が供給を行うことから、注文品の全てが提供可能状態になることが遅れるおそれ無しに人手による作業を低減することが可能となる、という効果を奏する。
【０１０６】
なお、上記した本実施形態では、注文品中の手動調理対象商品全ての調理が完了した後、商品自動供給装置１００に自動供給を指示している（ステップＳ３５、ステップＳ３７及びステップＳ３８）。もっとも、本実施形態の処理方法はこれに限定されない。
【０１０７】
例えば、手動調理対象商品全ての平均的な調理時間に基づいて、注文品出力から所定時間経過後に、商品自動供給装置１００に自動供給を指示するようにしてもよい。或いは、各商品について標準的調理時間を記憶しておき、注文品中で最も時間のかかる商品の調理が終了する所定時間前に、商品自動供給装置１００に自動供給を指示するようにしてもよい。また、これらの方法を取ると共に、混雑度に応じて上記所定の時間を異ならせるようにしても良い。例えば、注文が殺到し、未だ調理が完了していない注文が多数ある場合には上記所定の時間を長くするようにしても良い。厨房端末装置２００は、調理開始時に調理人からの所定の入力を受け付けて、それから所定時間経過後に、商品自動供給装置１００に自動供給を指示するようにしてもよい。
【０１０８】
更に、ステップＳ３３及びステップＳ３５厨房端末装置２００から注文品出力後、あるいは注文品出力と前後して、商品自動調理装置７００に自動調理を指示していた。
【０１０９】
この点、商品自動調理装置７００による調理時間が、調理担当者による調理時間よりも短いことを考慮し、厨房端末装置２００から注文品出力後、すみやかに商品自動調理装置７００に自動調理を指示するのではなく、注文品出力して所定時間経過後に自動調理を指示するようにしてもよい。また、逆に調理担当者による調理時間が、商品自動調理装置７００による調理時間よりも短いような場合には、自動調理を指示して所定時間経過後に注文品出力するようにしてもよい。
【０１１０】
次に、第４の実施形態について説明する。本実施形態は、第２の実施形態の構成に、第３の実施形態を組み合わせるというものである。具体的には、図７に表されるコントロール端末装置４００（本発明の「提供管理装置」に対応する。）に通信線で接続された自動フライヤー７０１を加える（この自動フライヤー７０１を加えた構成については図示を省略する）。
【０１１１】
そして、実施形態３では、厨房端末装置２００で自動フライヤー７０１を制御したが、本実施形態では、コントロール端末装置４００で自動フライヤー７０１を制御する。本実施形態における顧客の注文入力から注文品の調理完了までの動作については、第２の実施形態及び第３の実施形態の対応する動作と同じであるので、再度の説明は省略する。
【０１１２】
次に、以上説明した各実施形態の変形例について説明する。
【０１１３】
まず、構成に関する変形例２つについて図１３（ａ）及び図１３（ｂ）を参照して説明する。
【０１１４】
本変形例のオーダエントリシステム１００４及びオーダエントリシステム１００５では、ＰＯＳ端末装置３００をＰＯＳ端末装置３１０（本発明の「提供管理装置」に対応する。）へと置き換える。ここで、ＰＯＳ端末装置３１０は、ＰＯＳ端末装置３００の機能に加えてコントロール端末装置４００の機能を併せ持つ装置である。そのため、本実施形態では、コントロール端末装置４００をオーダエントリシステム内に含ませる必要が無い。
【０１１５】
図１３（ａ）のオーダエントリシステム１００４は、第１の実施形態を本変形例に適用させた構成に対応する。図１３（ａ）のオーダエントリシステム１００４に更に自動フライヤー７０１を追加した構成（図示を省略する）とすることにより実施形態３を本変形例に適用させた構成となる。
【０１１６】
また、図１３（ｂ）のオーダエントリシステム１００５は、第２の実施形態を本変形例に適用させた構成に対応する。図１３（ｂ）のオーダエントリシステム１００５に更に自動フライヤー７０１を追加した構成（図示を省略する）とすることにより実施形態４を本変形例に適用させた構成となる。
【０１１７】
なお、各実施形態では商品自動供給装置１００として、米飯自動盛付機１０１及び味噌汁ディスペンサ１０２を使用したが、これは一例に過ぎず、米飯自動盛付機１０１及び味噌汁ディスペンサ１０２以外の商品自動供給装置１００を使用するようにしても良い。また、商品自動調理装置７００として自動フライヤー７０１以外の商品自動調理装置７００を使用するようにしても良い。
【０１１８】
また、上述した説明では、各オーダエントリシステム内の各機器が、コントロール端末装置４００と通信して商品マスタや商品自動供給装置テーブル等を参照すると説明したが、各オーダエントリシステム内の各機器がそれぞれ商品マスタや商品自動供給装置テーブルを記憶するようにしても良い。
【０１１９】
更に、上述した各実施形態及びその変形例における各処理について下記のようにすることも可能である。
【０１２０】
上述したようにステップＳ１６、ステップＳ２７、ステップＳ３９において商品自動供給装置１００による自動供給を行う。この自動供給に用いる食器は、それぞれの商品自動供給装置１００内で自動的に供給位置に供給されるものであってもよいし、人手によって供給位置に供給されるものであってもよい。人手によって供給位置に供給されるものである場合、自動供給が指示された時、供給されていなければ、装置から警報を発するようにする。
【０１２１】
上述したステップＳ１９、ステップＳ２９、ステップＳ４２において注文入力端末装置６００に対して注文品調理完了通知を送信する。この注文品調理完了通知は、今回処理対象としている注文品を入力した注文入力端末装置６００のみに対して送信しても良いが、今回処理対象としている注文品を入力した注文入力端末装置６００を含む所定の注文入力端末装置６００に対して送信しても良く、全ての注文入力端末装置６００に対して送信しても良い。
【０１２２】
上述した各実施形態では、例えば、ステップＳ１４及びステップＳ１５の処理のように、注文品中の全ての調理が必要な商品の調理完了が入力されると、厨房端末装置２００は、注文品中の自動供給対象商品について、商品自動供給装置１００に自動供給を指示していた。そして、商品自動供給装置１００はこの指示に応じて自動供給を開始していた。
【０１２３】
しかし、商品自動供給装置１００による自動供給の準備が整っておらず、自動供給の指示を受けた商品自動供給装置１００がすぐには自動供給を実行できないような状況も考えられる。例えば、商品自動供給装置１００が米飯自動盛付機１０１である場合に、盛付けるべき御飯の残量が不足している場合が考えられる。同様に、商品自動供給装置１００が味噌汁ディスペンサ１０２で有る場合に、味噌汁ディスペンサ１０２内の味噌汁が不足している場合が考えられる。このような場合には、調理担当者が、御飯や味噌汁を米飯自動盛付機１０１や味噌汁ディスペンサ１０２に新たに補充する必要がある。
【０１２４】
そのため、調理が必要な商品の調理が完了して、自動供給指示がなされているにも関わらず、商品自動供給装置１００は自動供給が開始できない事態となる。従って、注文品の提供が遅れると共に、調理済みの料理が冷めてしまう、といった問題が生じる。
【０１２５】
そこで、このような事態を防止するべく、自動供給指示に先立って商品自動供給装置１００に、自動供給する商品がすぐに自動供給できる状態であるか確認することが考えられる。
【０１２６】
例えば、厨房端末装置２００がステップＳ１３にて注文品を出力する際に、厨房端末装置２００は商品自動供給装置１００に、自動供給対象商品がすぐに自動供給できる状態であるか確認するために、今回の注文に含まれている自動供給対象商品の内容を商品自動供給装置１００に対して送信する。
【０１２７】
そして、自動供給対象商品の内容を受信した商品自動供給装置１００は、自動供給指示があった場合に自動供給対象商品をすぐに自動供給できる状態であるかを確認する。
【０１２８】
仮にすぐに自動供給できる状態であれば、商品自動供給装置１００は特に処理を行わず、ステップＳ１５の自動供給指示がなされるまで待機をする。
【０１２９】
一方で、すぐに自動供給できる状態にないのであれば、商品自動供給装置１００は警告を出すようにする。
【０１３０】
これにより、警告を聞いた厨房の調理担当者は、調理前にまず商品自動供給装置１００に御飯等の補充を行ってから調理に着手することができる。このように商品自動供給装置１００に補充を先に行っておけば、調理完了を入力後、ステップＳ１５及びステップＳ１６の処理により、すぐに自動供給がなされることとなる。これにより、上記した、調理が必要な商品の調理が完了して、自動供給指示がなされているにも関わらず、商品自動供給装置１００は自動供給が開始できない、という事態の発生を防止することが可能となる。
【０１３１】
また、他の変形例として、ステップＳ１４では注文品中の全ての調理が必要な商品の調理完了が入力されると、厨房端末装置２００は、注文品中の自動供給対象商品について、商品自動供給装置１００に自動供給を指示していた。もっとも、注文品中に、調理が必要な商品ではあるが、別のタイミングで提供すべき商品が含まれている場合には、この別のタイミングで提供すべき商品以外の全ての商品の調理が完了した時点でＳ１５を行うようにしても良い。別のタイミングで提供すべき商品とは、例えばデザート等である。この変形例を実現するためには、例えば商品マスタに別のタイミングで提供すべき商品を識別する情報を更に付加する。そして、厨房端末装置２００がこの情報を参照することにより、注文品のなかの何れの商品が別のタイミングで提供すべき商品であるか判別するようにすれば良い。
【０１３２】
また、他の変形例として、商品自動供給装置１００に分類される装置であっても、各装置によって指示を受けてから自動供給が終了するまでの時間が異なることを考慮して、自動供給指示の送信に時間差をつけるようにしても良い。
【０１３３】
例えば指示を受けてから自動供給が終了するまでの時間が、味噌汁ディスペンサ１０２は１０秒、米飯自動盛付機１０１が５秒である場合には、まず味噌汁ディスペンサ１０２に自動供給指示を送信し、それから５秒経過後に米飯自動盛付機１０１に自動供給指示を送信するようにしても良い。これは、対象が商品自動調理装置７００であっても同様である。つまり、商品自動調理装置７００に分類される装置各々の調理に要する時間に応じて自動調理指示の送信に時間差をつけるようにして、供給の終了が同時になるようにしても良い。
【０１３４】
また、他の変形例として、商品自動供給装置１００により供給される品に対して、更に調理担当者が調理を行うことが有り得ることを考慮して変形を行っても良い。例えば米飯自動盛付機１０１が盛付けた御飯の上に調理担当者が更に食材を載せるような商品があったとする。このような商品が注文に含まれていた場合には、厨房端末装置２００は、ステップＳ１３にて注文品を出力すると共に米飯自動盛付機１０１に御飯の盛付けを指示する。調理担当者は、この盛付けられた御飯を使用して更に調理を行い、ステップＳ１４における処理により調理完了入力が行われる。そして、入力を受け付けた厨房端末装置２００は、例えば味噌汁ディスペンサ１０２に味噌汁をよそうことを指示する（ステップＳ１５）。こうすることにより、商品自動供給装置１００を、注文された商品に応じて更に広く活用することが可能となる。
【０１３５】
また、提供管理機能ブロック群８００を含まない注文入力端末装置６００が、注文データ内に自動供給装置コードや自動調理装置コードの項目に書き込みを行ってもよい。この場合、参照する商品マスタは、注文入力端末装置６００が内部に保持し、又は、オーダエントリシステムのネットワークを介して参照できる記録媒体に格納される。
【０１３６】
更に、提供管理機能ブロック群８００を含まないコントロール端末装置４００が、注文データ内に自動供給装置コードや自動調理装置コードの項目に書き込みを行ってもよい。この場合、参照する商品マスタは、コントロール端末装置４００が内部に保持し、又は、オーダエントリシステムのネットワークを介して参照できる記録媒体に格納される。
【０１３７】
また、注文品出力のステップ（Ｓ１３、S２３、Ｓ３３）までに必ずしも、商品マスタを参照して、自動供給装置コードや自動調理装置コードの項目に予め書き込みをしておく必要はなく、注文出力のステップ（Ｓ１３、Ｓ２３、Ｓ３３）、自動供給指示のステップ（Ｓ１５、Ｓ２５、Ｓ３８）及び自動調理指示のステップ（Ｓ３４）で、その都度、商品マスタを参照して、その参照により取得した装置コードを、自動供給装置コード及び自動調理装置コードとして利用しても良い。
【０１３８】
なお、上記のオーダエントリシステムに含まれる各機器は、それぞれがハードウェア、ソフトウェア又はこれらの組み合わせにより実現することができる。また、上記のオーダエントリシステム及び送付先システムのそれぞれに含まれる各機器が協働することにより行なわれる通信方法も、ハードウェア、ソフトウェア又はこれらの組み合わせにより実現することができる。ここで、ソフトウェアによって実現されるとは、コンピュータがプログラムを読み込んで実行することにより実現されることを意味する。
【０１３９】
プログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ(Read Only Memory)、ＣＤ−Ｒ、ＣＤ−Ｒ／Ｗ、半導体メモリ（例えば、マスクＲＯＭ、ＰＲＯＭ(Programmable ROM)、ＥＰＲＯＭ(Erasable PROM)、フラッシュＲＯＭ、ＲＡＭ(random access memory）)を含む。また、プログラムは、様々なタイプの一時的なコンピュータ可読媒体(transitory computer readable medium)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１４０】
上記の実施形態の一部又は全部は、以下の付記のようにも記載されうるが、以下には限られない。
【０１４１】
（付記１）  調理を要する第１の品と、調理済み又は調理不要の第２の品とを含んだ注文を受け付けた場合に、前記注文に含まれる前記第２の品を供給する装置である自動供給装置に対して、前記注文に含まれる前記第１の品についての調理が完了したことを契機として、前記注文に含まれる前記第２の品を供給するように指示を出すことを特徴とする提供管理装置。
【０１４２】
（付記２）  少なくとも、前記注文に含まれる前記第１の品の調理を完了したユーザからの入力を受け付けることにより、前記注文に含まれる前記第１の品についての調理の完了を検出することを特徴とする付記１に記載の提供管理装置。
【０１４３】
（付記３）  前記注文に含まれる前記第２の品毎に供給に要する時間が異なっており、前記異なる供給に要する時間に基づいて、前記注文に含まれる各前記第２の品の供給の完了が同時になるように時間差をつけて前記指示を出すことを特徴とする付記１又は２に記載の提供管理装置。
【０１４４】
（付記４）  前記注文に含まれる前記第１の品についての調理が完了する前に、前記注文に含まれる前記第２の品を供給するように指示を出したとしたならば前記自動供給装置が該指示に応じた供給が可能な状態であるのか確認し、可能な状態にない場合には、前記自動供給装置が指示に応じた供給が可能な状態にないことを知らせる情報をユーザに対して出力することを特徴とする付記１乃至３の何れか１に記載の提供管理装置。
【０１４５】
（付記５）  前記自動供給装置による前記注文に含まれる前記第２の品の供給の完了を検出し、その完了を契機として、前記注文された品が全て提供可能となったことを知らせる情報をユーザに対して出力することを特徴とする付記１乃至４の何れか１に記載の提供管理装置。
【０１４６】
（付記６）  前記注文に含まれる前記第１の品を調理する自動調理装置に対して、前記注文に含まれる前記第１の品を調理するように指示を出し、少なくとも、該指示に応じた前記自動調理装置による調理完了を表す通知を受け付けることにより、前記注文に含まれる前記第１の品についての調理の完了を検出することを特徴とする付記１乃至５の何れか１に記載の提供管理装置。
【０１４７】
（付記７）  付記１乃至５の何れか１に記載の提供管理装置と、
前記提供管理装置の指示に応じて前記注文に含まれる前記第２の品を供給する装置である自動供給装置と、
を備えることを特徴とする提供管理システム。
【０１４８】
（付記８）  付記７に記載の提供管理システムであって、
前記注文に含まれる前記第１の品を調理する自動調理装置を更に備え、
前記提供管理装置は、前記注文に含まれる前記第１の品を調理する自動調理装置に対して、前記注文に含まれる前記第１の品を調理するように指示を出し、少なくとも、該指示に応じた前記自動調理装置による調理完了を表す通知を受け付けることにより、前記注文に含まれる前記第１の品についての調理の完了を検出することを特徴とする提供管理システム。
【０１４９】
（付記９）  調理を要する第１の品と、調理済み又は調理不要の第２の品とを含んだ注文を受け付けた場合に、前記注文に含まれる前記第２の品を供給する装置である自動供給装置に対して、前記注文に含まれる前記第１の品についての調理が完了したことを契機として、前記注文に含まれる前記第２の品を供給するように指示を出すことを特徴とする提供管理装置としてコンピュータを機能させることを特徴とする提供管理プログラム。
【０１５０】
（付記１０）  提供管理装置と、前記提供管理装置と接続された前記自動供給装置と、を備えるシステムが行う提供管理方法であって、
前記提供管理装置が、調理を要する第１の品と、調理済み又は調理不要の第２の品とを含んだ注文を受け付けた場合に、前記注文に含まれる前記第２の品を供給する装置である前記自動供給装置に対して前記注文に含まれる前記第１の品についての調理が完了したことを契機として前記注文に含まれる前記第２の品を供給するように指示を出し、
前記自動供給装置が、前記提供管理装置の指示に応じて前記注文に含まれる前記第２の品を供給する、
ことを特徴とする提供管理方法。
【産業上の利用可能性】
【０１５１】
本発明は、物品の提供に関する指示を出す用途に広く好適である。
【符号の説明】
【０１５２】
１０１  米飯自動盛付機
１０２  味噌汁ディスペンサ
２００  厨房端末装置
３００、３１０  ＰＯＳ端末装置
４００  コントロール端末装置
５００  ワイヤレスアクセスポイント
６００  注文入力端末装置
７０１  自動フライヤー
８００  提供管理機能ブロック群
１００１、１００２、１００３、１００４、１００５  オーダエントリシステム
【図１】
0005875123.tif 000002
【図２】
0005875123.tif 000003
【図３】
0005875123.tif 000004
【図４】
0005875123.tif 000005
【図５】
0005875123.tif 000006
【図６】
0005875123.tif 000007
【図７】
0005875123.tif 000008
【図８】
0005875123.tif 000009
【図９】
0005875123.tif 000010
【図１０】
0005875123.tif 000011
【図１１】
0005875123.tif 000012
【図１２】
0005875123.tif 000013
【図１３】
0005875123.tif 000014